(57)【要約】      （修正有）【課題】会計中に抽選やスクラッチを行い、対象商品を検出した場合、スクラッチの難易度を変更する。【解決手段】ＰＯＳレジ装置から会計開始を示す情報や会計終了を示す情報を取得し、会計中であることを判定する。会計中である場合、会計時間中にクーポンなどが当たるスクラッチを行い。また、会計している商品の対象を検出する。子供向けの商品や老人向けの商品が含まれている場合、スクラッチの削りやすさを変更する。スクラッチの削りやすさを変更する事で会計の混雑を避ける事が可能となる。【選択図】図６
2017004275.tif 000002
【特許請求の範囲】
【請求項１】
会計中であるか否かを判断する会計判断手段と、
前記会計判断手段が会計中であると判断した場合、スクラッチ処理を行うスクラッチ手段と、
を備えるスクラッチ装置。
【請求項２】
会計開始情報を取得する会計開始情報取得手段と、
を備え、
前記会計判断手段は、会計開始情報に基づいて会計中であると判断することを特徴とする請求項１に記載のスクラッチ装置。
【請求項３】
会計終了情報を取得する会計終了情報取得手段と、
を備え、
前記会計判断手段は、会計終了情報に基づいて会計中であると判断することを特徴とする請求項１または２に記載のスクラッチ装置。
【請求項４】
前記会計中に特定の商品が含まれているかを判定する特定商品判定手段と、
を備え、
前記スクラッチ処理は前記特定の商品が含まれていると判定された場合、スクラッチの難易度を変更することを特徴とする請求項１〜３のいずれか一項に記載のスクラッチ装置。
【請求項５】
スクラッチ処理が終了したかを判定するスクラッチ終了判定手段と
を備え、
前記スクラッチ手段は、前記スクラッチ終了判定手段がスクラッチ処理が終了したと判定し、前記会計判断手段が会計中であると判定した場合、新規のスクラッチ処理を行うことを特徴とする請求項１〜４のいずれか一項に記載のスクラッチ装置。
【請求項６】
会計中であるか否かを判断する会計判断ステップと、
前記会計判断ステップで会計中であると判断した場合、スクラッチ処理を行うスクラッチステップと、
を含むことを特徴とするスクラッチ方法。
【請求項７】
コンピュータを、
会計中であるか否かを判断する会計判断手段、
前記会計判断手段が会計中であると判断した場合、スクラッチ処理を行うスクラッチ手段、
として機能させることを特徴とするプログラム。
【発明の詳細な説明】
【技術分野】
【０００１】
本発明は、スクラッチ装置、スクラッチ方法およびプログラムに関する。
【背景技術】
【０００２】
従来、スクラッチをすると、全体の画像データのうち、スクラッチ領域に対応する部分のデータがサーバから送信され端末に表示される技術がある。
【先行技術文献】
【特許文献】
【０００３】
【特許文献１】特開２００３−１４１０７１号公報
【発明の概要】
【発明が解決しようとする課題】
【０００４】
しかしながら買い物に基づいてスクラッチ処理を変更する事ができなかった。本発明は、買い物に基づいたスクラッチ処理を行うことである。
【課題を解決するための手段】
【０００５】
会計中であるか否かを判断する会計判断手段と、
前記会計判断手段が会計中であると判断した場合、スクラッチ処理を行うスクラッチ手段と、
を備えるスクラッチ装置。
【発明の効果】
【０００６】
買い物に基づいたスクラッチ処理を行うことができる。
【図面の簡単な説明】
【０００７】
【図１】は、本実施形態に係るスクラッチシステムの構成を示す図である。
【図２】は、本実施形態に係るＰＯＳレジ装置のブロック図である。
【図３】は、本実施形態に係る対象商品テーブルを示す図である。
【図４】は、本実施形態に係る携帯端末のブロックである。
【図５】は、本実施形態１に係るＰＯＳレジ装置のフローチャートを示す図である。
【図６】は、本実施形態１に係る携帯端末のフローチャートを示す図である。
【発明を実施するための形態】
【０００８】
以下、図面に基づき本発明の実施形態について説明する。
【０００９】
図１は、本実施形態に係るクーポン出力システムの構成を示す図である。本実施形態にかかるクーポン出力システムＰＯＳレジ装置１とＰＯＳレジ装置１と無線通信を行う携帯端末２とから構成される。ＰＯＳレジ装置１と携帯端末２は、例えば、Ｂｌｕｅｔｏｏｔｈ（登録商標）ｌｏｗ  ｅｎｅｒｇｙ（以下、ＢＬＥという。）に基づいて、互いに無線通信を行う。ＢＬＥとは、Ｂｌｕｅｔｏｏｔｈ（登録商標）と呼ばれる近距離無線通信規格において、低消費電力を目的として策定された規格（モード）である。
【００１０】
ＰＯＳレジ装置１は、図２に示すように制御部１１、表示部１２、スキャナ１３、通信部１４、記憶部１５、印字部１６を備え、記憶部１５は、会計開始情報記憶部１５１、会計終了情報記憶部１５２、対象商品記憶部１５３、スクラッチパラメーター記憶部１５４を含むものである。
【００１１】
制御部１１は、ＣＰＵ（Ｃｅｎｔｒａｌ  Ｐｒｏｃｅｓｓｉｎｇ  Ｕｎｉｔ）等によって構成され、記憶部１５に記憶されている各種のプログラムを実行して所定の演算や各部の制御を行うＣＰＵとプログラム実行時の作業領域となるメモリとを備えている（いずれも図示略）。
【００１２】
表示部１２は、液晶ディスプレイ等から構成され、制御部１１から伝達された情報を表示する。スキャナ１３は、商品のバーコードをスキャンし制御部１１に送信する。
【００１３】
通信部１４は、図示しないアンテナを介して、ＢＬＥに基づく無線信号の送信及び受信を行い、後述する会計開始情報、会計終了情報、スクラッチパラメーターを携帯端末２に送信する。
【００１４】
記憶部１５は、会計開始情報記憶部１５１、会計終了情報記憶部１５２、対象商品記憶部１５３、スクラッチパラメーター記憶部１５４を含み、会計開始情報記憶部１５１はＰＯＳレジ装置１が会計を開始したと判定された場合に携帯端末２に送信する会計開始情報を記憶するものである。
【００１５】
会計終了情報記憶部１５２は、ＰＯＳ装置１が会計を終了したと判定された場合に携帯端末２に送信する会計終了情報を記憶するものである。対象商品記憶部１５３は、図３に示すように、対象商品とスクラッチパラメーターを紐付けるものである。例えば、子供を対象とした商品がＡ１、Ａ２など複数ある場合、後述するスクラッチ処理のスクラッチの太さをａ１に変更するため対象商品Ａ１，Ａ２・・・とａ１を紐付けて記憶する。
【００１６】
また、同様に老人を対象とする商品Ｂ１，Ｂ２・・・にはｂ１のパラメーターを紐つけて記憶する。なお、本実施形態ではスクラッチパラメーターをスクラッチの太さを変更するパラメーターとしているがこれに限らず、対象とする顧客も、子供や老人に限らない。
【００１７】
スクラッチパラメーター記憶部１５４は、対象商品がスキャナ１３に読み取られた場合に対応するスクラッチパラメーターを記憶するものである。印字部１６は、レシートや後述する抽選結果を印字する。
【００１８】
図４は、端末装置２の構成を示すブロック図である。端末装置２は、制御部２１、表示部２２、入力部２３、通信部２４、記憶部２５、を備え、入力部はタッチパネル２３１、記憶部２５は抽選結果記憶部２５１、スクラッチパラメーター記憶部２５２を有する。
【００１９】
制御部２１は、ＣＰＵ（Ｃｅｎｔｒａｌ  Ｐｒｏｃｅｓｓｉｎｇ  Ｕｎｉｔ）等によって構成され、記憶部２５に記憶されている各種のプログラムを実行して所定の演算や各部の制御を行うＣＰＵとプログラム実行時の作業領域となるメモリとを備えている（いずれも図示略）。
【００２０】
表示部２２は、例えば、ＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ等によって構成される。
【００２１】
入力部２３は、タッチパネル２３１有し、表示部２１の上面に配置され、ユーザの操作内容を入力するために用いられるインタフェースである。タッチパネル２３１は、例えば図示しない透明電極を内蔵し、ユーザの指等が接触した場合に、電圧が変化した位置を接触位置として検出し、その接触位置の情報を入力指示として制御部２１へ出力する。本実施形態では、表示部２２に表示されたスクラッチ画像検出した接触位置に基づいて消去するスクラッチ処理に使用される。
【００２２】
通信部２４は、図示しないアンテナを介して、ＢＬＥに基づく無線信号の送信及び受信を行い、ＰＯＳレジ装置１から会計開始情報、会計終了情報、スクラッチパラメーターを受信する。
【００２３】
記憶部２５は抽選結果記憶部２５１とスクラッチパラメーター記憶部２５２を有し、抽選結果記憶部２５１は、後述する抽選処理の結果を記憶し、スクラッチパラメーター記憶部２５２は、ＰＯＳレジ装置１から送信されたスクラッチパラメーターを記憶する。
【００２４】
図５は本実施形態にかかるＰＯＳレジ装置１のフローチャートを示す図である。
【００２５】
まず、ＰＯＳレジ装置１は、例えばスキャナ１３が商品を読み取ったか否かに基づいて、会計が開始されたかを判定する（ステップＳ１１）。会計が開始されていないと判定された場合は（ステップＳ１１ｎｏ）、ステップ１１へ戻り、開始されると判定されるまで繰り返す。
【００２６】
会計が開始されたと判定された場合（ステップＳ１２）、通信部１４は会計開始情報記憶部１５１記憶されている会計開始情報を端末装置２に送信する（ステップＳ１２）。
【００２７】
その後、スキャナ１３がスクラッチバラメーター記憶部１５１にスクラッチパラメーターと対応付けられている対象商品を読み取ったかを判定する（ステップＳ１３）。対象商品を読み取っていないと判定された場合（ステップＳ１３ｎｏ）、ステップＳ１６に進む。
【００２８】
スキャナ１３が対象商品を読み取ったと判定した場合は（ステップＳ１３ｙｅｓ）、読み取った対象商品に対応付けられているスクラッチパラメーターとスクラッチパラメーター記憶部１５４に記憶されているスクラッチパラメーターを比較しスクラッチパラメーターを変更するかを判定する（ステップＳ１４）。スクラッチパラメーター記憶部１５４の初期状態ではスクラッチパラメーターが記憶されていないので、ステップＳ１４ではスクラッチパラメーターは変更したと判定する。その後、ステップＳ１３で検出された対象商品に対応付けられているスクラッチパラメーターをスクラッチパラメーター記憶部１５４に記憶する。
【００２９】
スクラッチパラメーターが変更されていないと判定された場合（ステップＳ１４ｎｏ）、ステップＳ１６へ進む。
【００３０】
スクラッチパラメーターが変更されたと判定すると（ステップＳ１４ｙｅｓ）、通信部１４はスクラッチパラメーター記憶部１５４に記憶されているスクラッチパラメーターを端末装置２に送信し、ステップＳ１６に進む。
【００３１】
ステップＳ１６では、会計が終了したかを判定する。会計が終了していない場合は（ステップＳ１６ｎｏ）、ステップＳ１３へ進む。会計が終了したと判定した場合は、携帯端末２に会計終了情報を送信し（ステップＳ１７）、ステップＳ１８に進む。
【００３２】
ステップＳ１８では、携帯端末２から抽選結果を受信したかを判定し（ステップＳ１８）、受信していないと判定した場合（ステップＳ１８ｎｏ）、受信するまでステップＳ１８を繰り返す。
【００３３】
抽選結果を受信した場合は（ステップＳ１８ｙｅｓ）、抽選結果と会計情報をレシートに印字する（ステップＳ１９）。
【００３４】
図６は本実施形態にかかる携帯端末２のフローチャートを示す図である。
【００３５】
まず、携帯端末２は、ＰＯＳレジ装置１から会計開始情報を受信したかに基づいて会計が開始されたかを判定する（ステップＳ２１）。会計開始情報を受信しておらず、会計を開始していないと判定された場合（ステップＳ２１ｎｏ）、会計開始情報を受信するまで、ステップＳ２１を繰り返す。
【００３６】
会計が開始されたと判定した場合（ステップＳ２１ｙｅｓ）、抽選処理を行う（ステップＳ２２）。抽選処理はたとえば、０から１までの乱数を発生させ、発生させた乱数が０．８以上の場合当選とし、そのほかの値の場合は落選とする。
【００３７】
ステップＳ２２の抽選結果をスクラッチの秘匿画像に決定し（ステップＳ２３）、スクラッチ画像を表示する。スクラッチ画像とは秘匿画像を後述するスクラッチ処理で消える画像で覆い隠した画像である。
【００３８】
スクラッチ画像を表示した後、スクラッチ処理を行う（ステップＳ２４）。スクラッチ処理とは、ユーザが表示部２２に表示されているスクラッチ画像に対して、タッチパネル２３１を使用し、位置を指定することで、指定された位置の画像を消し、画像を消した場所の秘匿画像を表示する処理である。
【００３９】
スクラッチ処理中にＰＯＳレジ装置１からスクラッチパラメーターを受信したかを判定する（ステップＳ２７）。スクラッチパラメーターを受信していない場合は（ステップＳ２５ｎｏ）、ステップＳ２７へ進む。
【００４０】
ＰＯＳレジ装置１からスクラッチパラメーターを受信した場合（ステップＳ２５ｙｅｓ）、パラメーターを変更する。スクラッチパラメーターは、例えばスクラッチ処理における指定された位置から画像を消す範囲を示し、ＰＯＳレジ装置１が子供を対象とする対象商品をスキャンした場合、範囲を広げることによってスクラッチ処理を容易にすることができる。スクラッチパラメーターを変更した後、ステップＳ２７へ進む。
【００４１】
ステップＳ２７ではスクラッチ処理が終了したかを判定し、終了していないと判定された場合は（ステップＳ２７ｎｏ）、ステップＳ２４へ戻る。
【００４２】
スクラッチ処理が終了した場合（ステップＳ２７）、抽選結果を抽選結果記憶部２５１に記憶する（ステップＳ２８）。抽選結果を記憶した後、ＰＯＳレジ装置１から会計終了情報を受信したかに基づいて会計が終了したかを判定する（ステップＳ２９）。
【００４３】
会計が終了していないと判定された場合（ステップＳ２９ｎｏ）、ステップＳ２２へ戻り、再度抽選を行う。会計が終了したと判定された場合は（ステップＳ２９ｎｏ）、通信部２４は、抽選結果記憶部２５２に記憶されている抽選結果をＰＯＳレジ装置１に送信する。
【００４４】
本実施形態のように、例えば、スクラッチ処理が終了しても会計が終了していないと判定された場合は、再度抽選を行うため、会計中は複数回抽選をすることが可能となり、商品を多く購入する顧客が多く抽選をすることが可能となる。
【００４５】
また、子供などを対象とする対象商品を検出した場合、スクラッチ処理の難易度を変更したため、スクラッチ処理が遅い人でも楽しめることができる。
【００４６】
なお、本実施では会計中は抽選が何度でも行えるような構成であったが、これに限らず、回数を限定してもよい。また、本実施形態ではスクラッチパラメーターをスクラッチ処理の範囲としたが、これに限らない。
【００４７】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００４８】
〈請求項１〉
会計中であるか否かを判断する会計判断手段と、
前記会計判断手段が会計中であると判断した場合、スクラッチ処理を行うスクラッチ手段と、
を備えるスクラッチ装置。
【００４９】
〈請求項２〉
会計開始情報を取得する会計開始情報取得手段と、
を備え、
前記会計判断手段は、会計開始情報に基づいて会計中であると判断することを特徴とする請求項１に記載のスクラッチ装置。
【００５０】
〈請求項３〉
会計終了情報を取得する会計終了情報取得手段と、
を備え、
前記会計判断手段は、会計終了情報に基づいて会計中であると判断することを特徴とする請求項１または２に記載のスクラッチ装置。
【００５１】
〈請求項４〉
前記会計中に特定の商品が含まれているかを判定する特定商品判定手段と、
を備え、
前記スクラッチ処理は前記特定の商品が含まれていると判定された場合、スクラッチの難易度を変更することを特徴とする請求項１〜３のいずれか一項に記載のスクラッチ装置。
【００５２】
〈請求項５〉
スクラッチ処理が終了したかを判定するスクラッチ終了判定手段と
を備え、
前記スクラッチ手段は、前記スクラッチ終了判定手段がスクラッチ処理が終了したと判定し、前記会計判断手段が会計中であると判定した場合、新規のスクラッチ処理を行うことを特徴とする請求項１〜４のいずれか一項に記載のスクラッチ装置。
【００５３】
〈請求項６〉
会計中であるか否かを判断する会計判断ステップと、
前記会計判断ステップで会計中であると判断した場合、スクラッチ処理を行うスクラッチステップと、
を含むことを特徴とするスクラッチ方法。
【００５４】
〈請求項７〉
コンピュータを、
会計中であるか否かを判断する会計判断手段、
前記会計判断手段が会計中であると判断した場合、スクラッチ処理を行うスクラッチ手段、
として機能させることを特徴とするプログラム。
【符号の説明】
【００５５】
１  ＰＯＳレジ装置
２  携帯端末
１１  制御部
１２  表示部
１３  スキャナ
１４  通信部
１５  記憶部
１５１  会計開始情報記憶部
１５２  会計終了情報記憶部
１５３  対象商品記憶部
１５４  スクラッチパラメーター記憶部
２１  制御部
２２  表示部
２３  入力部
２３１  タッチパネル
２４  通信部
２５  記憶部
２５１  抽選結果記憶部
２５２  スクラッチパラメーター記憶部
【図１】
2017004275.tif 000003
【図２】
2017004275.tif 000004
【図３】
2017004275.tif 000005
【図４】
2017004275.tif 000006
【図５】
2017004275.tif 000007
【図６】
2017004275.tif 000008